(57)【要約】【課題】簡単な構成でベーンポンプの吐出流量を調節する。【解決手段】ベーンポンプ１は、吸入ポート２３と吐出ポート２４とが形成されたポンプケーシング１０と、ポンプケーシング１０内に設けられて回転駆動されるロータ３と、ポンプケーシング１０内においてロータ３の周囲に設けられ、ロータ３の回転軸Ｘに対する偏心量が調節可能に構成されたカムリング４と、ロータ３に半径方向へ進退自在に設けられ、先端がカムリング４と摺接する複数のベーン５，５，点とを備えている。吐出ポート２４は、ポンプ室１７が上死点から下死点に向かって移動していく途中に開口する位置に形成されている。吐出ポート２４の下死点側の端部２４ｂは、下死点よりも、ポンプ室１７の１つ分以上、上死点側に位置する。【選択図】図１
2010265852.tif 000002
【特許請求の範囲】
【請求項１】
吸入ポートと吐出ポートとが形成されたポンプケーシングと、該ポンプケーシング内に設けられて回転駆動されるロータと、該ポンプケーシング内において該ロータの周囲に設けられ、該ロータの回転軸に対する偏心量が調節可能に構成されたカムリングと、前記ロータに半径方向へ進退自在に設けられ、先端が前記カムリングと摺接する複数のベーンとを備えたベーンポンプであって、
前記吐出ポートは、隣接する２つの前記ベーンと前記ロータと前記カムリングとの間に形成されるポンプ室が、上死点から下死点に向かって移動していく途中で開口する位置に形成され、
前記吐出ポートの下死点側の端部は、下死点よりも、前記ポンプ室１つ分以上、上死点側に位置するベーンポンプ。
【請求項２】
請求項１に記載のベーンポンプにおいて、
前記カムリングは、上死点側の位置と下死点側の位置との間で揺動可能に前記ポンプケーシングに支持されると共に、付勢部材によって該上死点側に付勢されているベーンポンプ。
【請求項３】
請求項１に記載のベーンポンプにおいて、
前記吐出ポートの下死点側の端部から下死点までの周方向長さは、該吐出ポートの上死点側の端部から下死点側の端部までの周方向長さよりも短いベーンポンプ。
【発明の詳細な説明】
【技術分野】
【０００１】
本発明は、カムリングの偏心量を調節することによって容量を調節することができる可変容量型のベーンポンプに関するものである。
【背景技術】
【０００２】
従来より、カムリングの偏心量を調節することによって容量を調節することができる可変容量型のベーンポンプが知られている。このようなベーンポンプは、例えば、車両において、自動変速機用のポンプ等として搭載され、エンジンによって駆動される。
【０００３】
例えば、特許文献１に係るベーンポンプは、吸入ポートと吐出ポートとが形成されたケーシングと、該ケーシング内に設けられ回転駆動されるロータと、ケーシング内において該ロータの周囲に設けられ、該ロータの回転軸に対する偏心量が調節可能に構成されたカムリングと、前記ロータに半径方向へ進退自在に設けられ、先端が前記カムリングと摺接する複数のベーンとを備えている。このようなベーンポンプは、駆動源（例えば、エンジン）の回転速度に応じて回転駆動され、回転速度に応じた吐出圧及び吐出流量で作動油（作動流体）を吐出する。すなわち、ロータの回転速度が上昇すると、ベーンポンプから吐出される流体の吐出圧力及び吐出流量も上昇する。ところが、ベーンポンプを自動変速機用のポンプ等として使用する場合には、高回転領域においては、或る程度の吐出流量が得られれば十分であり、回転速度に応じた吐出流量は必要ない。
【０００４】
そこで、特許文献１に係るベーンポンプは、カムリングの偏心量を調節することによって、吐出流量を調節するように構成されている。詳しくは、特許文献１に係るベーンポンプにおいて、ケーシングとカムリングとの間の空間は、上死点側の空間と下死点側の空間とに仕切られ、カムリングは、バネによって上死点側に付勢されている。そして、前記上死点側の空間には、吐出ポートから吐出された吐出流体が吐出通路から分岐して流入するように構成されている。また、吐出通路からはリリーフ通路が分岐している。このリリーフ通路には、オリフィスが設けられていると共に、オリフィスの下流側には吐出圧が所定圧力以上になると開放するリリーフ弁が設けられている。さらに、リリーフ通路における、オリフィスとリリーフ弁との間の部分からは、ケーシングとカムリングとの間の下死点側の空間へ吐出流体を流入させるための分岐路が分岐している。このように構成されたベーンポンプにおいては、吐出圧が所定圧力となるまでは、リリーフ弁が閉じているため、リリーフ通路及び前記ケーシング内の下死点側の空間は吐出流体の吐出圧と同じ圧力になっている。ケーシング内の上死点側の空間も吐出圧と同じ圧力なっているため、該上死点側の空間の圧力と下死点側の空間の圧力とが釣り合って、カムリングはバネによって、ケーシング内の上死点側に押し付けられた状態となっている。このとき、ロータに対するカムリングの偏心量は最大となっている。一方、吐出圧が所定圧力となると、リリーフ弁が開放され、吐出流体がリリーフ通路を流通してリリーフ弁から流出するようになる。このとき、吐出流体がオリフィスを通過するため、オリフィスの上流側と下流側とで差圧が生じるようになる。その結果、ケーシング内の上死点側の空間の圧力は吐出圧と同じ圧力になっているのに対し、ケーシング内の下死点側の空間の圧力は吐出圧以下の圧力となるため、バネによって付勢されているカムリングが該上死点側の空間の圧力と下死点側の空間の圧力との差圧によって下死点側に押し返される。これにより、ロータに対するカムリングの偏心量が小さくなり、吐出圧及び吐出流量が減少する。このように、特許文献１に係るベーンポンプは、高回転領域において、吐出圧及び吐出流量が抑制されるように構成されている。
【先行技術文献】
【特許文献】
【０００５】
【特許文献１】特開昭５６−１４３３８４号公報
【発明の概要】
【発明が解決しようとする課題】
【０００６】
しかしながら、従来のベーンポンプでは、吐出流量を調節するために、油圧回路が必要となったり、ケーシングとカムリングとの間の空間を液密に構成する必要がある等、ベーンポンプの構成が複雑になってしまうという問題がある。
【０００７】
ここに開示された技術は、かかる点に鑑みてなされたものであり、その目的とするところは、簡単な構成でベーンポンプの吐出流量を調節することにある。
【課題を解決するための手段】
【０００８】
ここに開示されたベーンポンプは、吸入ポートと吐出ポートとが形成されたポンプケーシングと、該ポンプケーシング内に設けられて回転駆動されるロータと、該ポンプケーシング内において該ロータの周囲に設けられ、該ロータの回転軸に対する偏心量が調節可能に構成されたカムリングと、前記ロータに半径方向へ進退自在に設けられ、先端が前記カムリングと摺接する複数のベーンとを備えたベーンポンプである。そして、前記吐出ポートは、隣接する２つの前記ベーンと前記ロータと前記カムリングとの間に形成されるポンプ室が、上死点から下死点に向かって移動していく途中で開口する位置に形成され、前記吐出ポートの下死点側の端部は、下死点よりも、前記ポンプ室１つ分以上、上死点側に位置するものとする。
【発明の効果】
【０００９】
このベーンポンプによれば、ポンプ室が下死点に到達する前に吐出ポートに開口しない状態、即ち、閉じ切り状態となるため、その状態から下死点までの間はポンプ室が縮小し、ポンプ室内の圧力が上昇することになる。この下死点近傍におけるポンプ室内の圧力上昇によって、カムリングが下死点側に押圧され、カムリングの偏心量が小さくなるように変化する。その結果、ポンプ容量が低下し、吐出流量を抑制することができる。こうして、吐出ポートの下死点側の端部を下死点よりも、ポンプ室１つ分以上、上死点側に位置させるという簡単な構成で、吐出流量を調節可能なベーンポンプを実現することができる。
【図面の簡単な説明】
【００１０】
【図１】本実施形態に係るベーンポンプを正面から見た断面図である。
【図２】ベーンポンプを側方から見た断面図である。
【図３】サイドプレートを示す図であって、（Ａ）は正面図で、（Ｂ）Ａ図のｂ−ｂ線における断面図である。
【図４】ベーンポンプの動作を示す説明図であって、（Ａ）はポンプ室が下死点に位置するとき、（Ｂ）はポンプ室が吸入ポートに開口するようになるとき、（Ｃ）はポンプ室が上死点に位置するとき、（Ｄ）はポンプ室が吐出ポートに開口するようになるとき、（Ｅ）はポンプ室が吐出行程後、閉じ切り状態になるとき、（Ｆ）はポンプ室が閉じ切り後、下死点まで移動するときを示す。
【発明を実施するための形態】
【００１１】
以下、本発明の実施形態を図面に基づいて詳細に説明する。
【００１２】
《発明の実施形態》
図１は、ベーンポンプを正面から見た（即ち、図２のＩ−Ｉ線における）断面図であり、図２は、ベーンポンプを側方から見た断面図である。
【００１３】
本実施形態に係るベーンポンプ１は、ポンプケーシング１０と、該ポンプケーシング１０内に設けられ、回転軸Ｘ回りに回転駆動されるロータ３と、該ポンプケーシング１０内において該ロータ３に周囲に設けられ、該ロータ３の回転軸Ｘに対する偏心量が調節可能に構成されたカムリング４と、前記ロータ３に半径方向へ進退自在に設けられ、先端が前記カムリング４と摺接する複数のベーン５，５，…とを備えている。
【００１４】
前記ポンプケーシング１０は、前記ロータ３やカムリング４等を収容する空間が形成されたポンプボディ１１と、該ポンプボディ１１に設けられたサイドプレート１２と、該ポンプボディ１１に取り付けられ、該空間を密閉するポンプカバー１３とを有している。ポンプケーシング１０内に収容されるロータ３及びカムリング４は、サイドプレート１２とポンプカバー１３とで挟持されている。
【００１５】
また、ポンプケーシング１０には、駆動シャフト１４が回転自在に支持されている。詳しくは、駆動シャフト１４は、ポンプカバー１３及びサイドプレート１２を貫通して、ポンプボディ１１に形成された挿通孔に挿通されている。この駆動シャフト１４は、ポンプボディ１１の挿通孔に設けられた軸受及びポンプカバー１３の貫通孔に設けられた軸受によって回転自在に支持されている。この駆動シャフト１４は、トルクコンバータ（図示省略）等を介してエンジン（図示省略）の回転が伝達するように構成されている。つまり、駆動シャフト１４は、エンジンにより回転駆動される。
【００１６】
ポンプケーシング１０には、外部から吸入される作動油が流通する吸入通路２１と、外部へ吐出される作動油が流通する吐出通路２２とが形成されている。詳しくは、吸入通路２１は、ポンプボディ１１からポンプカバー１３に亘って形成されている。吐出通路２２は、ポンプボディ１１に形成されている。また、サイドプレート１２には、ポンプケーシング１０の吸入通路２１の下流端と連通する吸入ポート２３と、ポンプケーシング１０の吐出通路２２の上流端と連通する吐出ポート２４とが形成されている。
【００１７】
前記ロータ３は、駆動シャフト１４に対して一体的に回転するように取り付けられた状態で、ポンプケーシング１０内に収容されている。つまり、ロータ３は、該駆動シャフト１４を介して回転駆動される。
【００１８】
このロータ３には、複数のベーン５，５，…が設けられている。ベーン５，５，…は、ロータ３の周方向に等間隔を空けて設けられていて、ロータ３の半径方向へ自在に進退するように構成されている。これらベーン５，５，…の先端は、カムリング４の内周面に当接するようになっている。
【００１９】
前記カムリング４は、概略円筒状の部材である。カムリング４には、該カムリング４をポンプケーシング１０に支持するための支持部４１が、半径方向外方に突出して設けられている。また、カムリング４には、後述する付勢バネ１５が当接するバネ当接部４２が、軸心を挟んで支持部４１の略反対側において半径方向外方に突出して設けられている。このように構成されたカムリング４は、ロータ３及びベーン５，５，…の周囲を覆った状態で、ポンプケーシング１０内に収容されている。このカムリング４は、ポンプボディ１１とポンプカバー１３とに挟持されたピボットピン１６を支点として揺動可能にポンプケーシング１０に支持されている。ここで、ポンプケーシング１０内には、カムリング４を揺動方向の一方（本実施形態では、図１の左側）へ付勢する付勢バネ１５が設けられている。この付勢バネ１５は、カムリング４のバネ当接部４２に当接している。つまり、カムリング４は、付勢バネ１５によって揺動方向の一方へ付勢され、ポンプボディ１１の内周面と当接している（詳しくは、ポンプボディ１１の内周面に設けられたパッドに当接している）。こうして、カムリング４が揺動方向の一方へ付勢されることによって、カムリング４はロータ３の回転軸Ｘに対して偏心した状態となる。この付勢バネ１５が付勢部材を構成する。ここで、ロータ３とカムリング４とが最も離れた位置を上死点といい、ロータ３とカムリング４とが最も近接した位置を下死点というものとする。
【００２０】
この状態でロータ３が回転駆動されると、ロータ３は、カムリング４に対して相対的に偏心した状態で回転することになる。このとき、ベーン５，５，…は、ロータ３の半径方向に進退自在に構成されているため、ロータ３が回転する遠心力によって半径方向外方に進出し、その先端がカムリング４の内周面と当接する。つまり、ロータ３は、ベーン５，５，…の先端をカムリング４の内周面と摺接させながら、カムリング４に対して相対的に偏心回転する。こうして、ポンプケーシング１０内において、ロータ３とカムリング４と隣接する２つのベーン５，５との間にはポンプ室１７が形成される。すなわち、ポンプ室１７，１７，…は、ロータ３とカムリング４との間において、ベーン５，５，…の個数に応じた数だけ形成されている。
【００２１】
また、ロータ３は、回転軸Ｘ方向に隣接するサイドプレート１２に摺接しながら偏心回転している。ここで、ロータ３に合わせて回転するポンプ室１７，１７，…は、サイドプレート１２に形成された吸入ポート２３から作動油を吸入し、サイドプレート１２に形成された吐出ポート２４へ作動油を吐出する。
【００２２】
吸入ポート２３及び吐出ポート２４は、サイドプレート１２のうち、ロータ３とカムリング４との間の円環状の空間に臨む部分に形成されている。該円環状の空間を、ロータ３の回転方向において、下死点から上死点までの領域と上死点から下死点までの領域とに二分すると、吸入ポート２３は、下死点から上死点までの間の領域に形成され、吐出ポート２４は、上死点から下死点までの間の領域に形成されている。換言すれば、吸入ポート２３は、ポンプ室１７が、下死点から上死点に向かって移動していく途中で開口する位置に形成され、吐出ポート２４は、ポンプ室１７が、上死点から下死点に向かって移動していく途中で開口する位置に形成されている。
【００２３】
さらに詳しくは、吸入ポート２３は、幅が上死点側に向かって漸次増大する円弧状に形成されている。吸入ポート２３の下死点側の端部（始端部）２３ｂは、下死点から、ポンプ室１７の２つ分だけ上死点側へ離れた位置（即ち、下死点から、ベーン５，５，…の２ピッチ分だけ上死点側へ離れた位置）に位置している。ここで、ベーン５，５，…のピッチとは、隣接する２つのベーン５，５の、回転軸Ｘ回りに角度差を意味する。また、吸入ポート２３の上死点側の端部（終端部）２３ａは、上死点から、ポンプ室１７の半分だけ下死点側へ離れた位置（即ち、上死点から、ベーン５，５，…の半ピッチ分だけ下死点側へ離れた位置）に位置している。
【００２４】
吐出ポート２４は、幅が上死点側に向かって漸次増大する円弧状に形成されている。吐出ポート２４の上死点側の端部（始端部）２４ａは、上死点から、ポンプ室１７の半分だけ下死点側へ離れた位置（即ち、上死点から、ベーン５，５，…の半ピッチ分だけ下死点側へ離れた位置）に位置している。また、吐出ポート２４の下死点側の端部（終端部）２４ｂは、下死点から、ポンプ室１７の２つと半分だけ上死点側へ離れた位置（即ち、下死点から、ベーン５，５，…の２．５ピッチだけ上死点側へ離れた位置）に位置している。
【００２５】
以下、このように構成されたベーンポンプ１の動作について図４を参照しながら説明する。ここでは、ポンプ室１７が下死点から１周回って、再び下死点に戻ってくるまでの動作を説明する。尚、ポンプ室１７の位置とは、ポンプ室１７の周方向中央部分、即ち、隣接する２つのベーン５，５の周方向中間部分の位置を意味する。すなわち、ポンプ室１７が下死点に位置するとは、ポンプ室１７の周方向中央部分（即ち、隣接する２つのベーン５，５の周方向中間部分の位置）が下死点に位置するときを意味する。
【００２６】
まず、ポンプ室１７が下死点に位置するときには、図４（Ａ）に示すように、ポンプ室１７には、吸入ポート２３も吐出ポート２４も開口していない。また、下死点はロータ３がカムリング４に最も近接している位置であるため、ポンプ室１７の容積は最も小さくなっている。
【００２７】
そこから、ロータ３の回転に伴って、ポンプ室１７が下死点からロータ３の回転方向（図１では時計回り）へ回転すると、ポンプ室１７の容積は漸次大きくなっていく。そして、ポンプ室１７が下死点から、ベーン５，５，…の略１．５ピッチ分を超えて回転すると、図４（Ｂ）に示すように、吸入ポート２３がポンプ室１７に開口するようになる。吸入ポート２３は、上死点に向かって延びる円弧状をしているため、ポンプ室１７が上死点に到達するまでポンプ室１７に開口している。そして、ポンプ室１７の容積は、ポンプ室１７が上死点に到達するまで、漸次大きくなるため、吸入通路２１を通った作動油が吸入ポート２３を介してポンプ室１７に吸入される。
【００２８】
ポンプ室１７が上死点に到達すると、図４（Ｃ）に示すように、吸入ポート２３は、ポンプ室１７に開口しないようになる。ポンプ室１７には吐出ポート２４も開口しておらず、ポンプ室１７は閉じ切り状態となる。上死点はロータ３がカムリング４から最も離れている位置であるため、ポンプ室１７の容積は最も大きくなっている。
【００２９】
ポンプ室１７が上死点からロータ３の回転方向へさらに回転すると、図４（Ｄ）に示すように、吐出ポート２４がポンプ室１７に開口するようになると共に、ポンプ室１７の容積は漸次小さくなっていく。そのため、ポンプ室１７内の作動油が吐出ポート２４を介して吐出通路２２へ吐出される。吐出ポート２４は、下死点に向かって延びる円弧状をしているため、ポンプ室１７が上死点からベーン５，５，…の略４ピッチ分回転するまでの間は、吐出ポート２４がポンプ室１７へ開口しており、作動油の吐出が継続される。ポンプ室１７が上死点からベーン５，５，…の略４ピッチ分を超えて回転すると、図４（Ｅ）に示すように、吐出ポート２４がポンプ室１７へ開口しなくなり、ポンプ室１７が閉じ切り状態となる。
【００３０】
ポンプ室１７が閉じ切り状態となった後、下死点までの間は、ポンプ室１７の容積は漸次小さくなるものの、ポンプ室１７からの作動油の吐出は行われない。そのため、ポンプ室１７内の圧力は漸次高くなっていく。その結果、カムリング４の内周面のうち、ポンプ室１７が作動油の吐出後、閉じ切り状態となって、下死点まで回転していく間に通過する部分は、その他の部分よりも高い圧力で半径方向外方に押圧されることになる。このポンプ室１７の下死点近傍における圧力上昇によって、カムリング４にはピボットピン１６を中心にカムリング４を下死点側へ揺動させるモーメントが発生する。ここで、カムリング４は、付勢バネ１５によって、ピボットピン１６を中心として上死点側へ押圧されている。すなわち、カムリング４にはピボットピン１６を中心にカムリング４を上死点側へ揺動させるモーメントが作用している。そのため、駆動シャフト１４の回転が低回転であって吐出圧が低いときには、ポンプ室１７の圧力上昇によるモーメントが付勢バネ１５によるモーメントよりも小さいため、カムリング４は付勢バネ１５によって上死点側に押圧されて、ポンプケーシング１０の内周面と当接している。そして、駆動シャフト１４の回転速度が上昇して吐出圧が高くなり、ポンプ室１７の圧力上昇によるモーメントが付勢バネ１５によるモーメントより大きくなると、カムリング４は付勢バネ１５による付勢力に抗して、下死点側へ押し返される。カムリング４が下死点側に押し返されるにつれて、付勢バネ１５はさらに圧縮される。カムリング４は、ポンプ室１７の圧力上昇によるモーメントと、圧縮された付勢バネ１５の付勢力によるモーメントとが釣り合うところまで、下死点側へ押し返される。こうして、カムリング４が下死点側に移動すると、ベーンポンプ１の吐出流量及び吐出圧が低下する。
【００３１】
このように、閉じ切り後のポンプ室１７の圧力上昇によるモーメントが付勢バネ１５によるモーメントより大きくなるまでは、作動油の吐出流量は、駆動シャフト１４の回転速度に応じて上昇していく。そして、閉じ切り後のポンプ室１７の圧力上昇によるモーメントが付勢バネ１５によるモーメントより大きくなると、カムリング４が下死点側へ揺動して、カムリング４の偏心量が小さくなる。これにより、駆動シャフト１４の高回転領域における、ベーンポンプ１の吐出流量及び吐出圧が抑制される。
【００３２】
したがって、本実施形態によれば、ポンプ室１７の圧力上昇を利用してカムリング４の偏心量を調節することによって、油圧回路等の複雑な構成を必要となることなく、簡単な構成で、高回転領域におけるベーンポンプ１の吐出流量及び吐出圧を抑制することができる。
【００３３】
詳しくは、ポンプ室１７の容積は下死点に至るまで減少するため、従来のベーンポンプにおいては、吐出ポートは、ポンプ室が下死点に至ったときに閉じ切り状態になるように形成されている。それに対し、本実施形態では、カムリング４の偏心量の調節を簡易な構成で実現するために、吐出ポートを、ポンプ室が下死点に到達する前にポンプ室が閉じ切り状態となるように形成している。つまり、吐出ポート２４の下死点側の端部２４ｂが、下死点よりも、ポンプ室１７の１つ分以上、上死点側に位置するようにしている。これにより、ポンプ室１７の圧力を下死点近傍位置で上昇させることができるため、ポンプ室１７の圧力上昇によりカムリング４を、下死点近傍におけるポンプ室１７の容積が大きくなるように、即ち、カムリング４の偏心量が小さくなるように、揺動させることができる。その結果、ベーンポンプ１の吐出圧及び吐出流量を抑制することができる。そして、カムリング４の揺動量は、ポンプ室１７の圧力の上昇の程度、即ち、駆動シャフト１４の回転速度に応じて変わる。つまり、駆動シャフト１４の回転速度が速くなるほど、カムリング４の揺動量が大きく、即ち、カムリング４の偏心量が小さくなる。このように、ベーンポンプ１の吐出流量及び吐出圧を駆動シャフト１４の回転速度に応じて抑制することができる。こうして、ベーンポンプ１の吐出圧及び吐出流量を抑制することができる結果、ベーンポンプ１の駆動トルクも抑制することができる。
【００３４】
ここで、付勢バネ１５によってカムリング４を上死点側へ押圧しているため、カムリング４に作用する、ポンプ室１７の圧力上昇によるモーメントが付勢バネ１５によるモーメントより大きくなるまでの間は、駆動シャフト１４の回転速度に応じて、ベーンポンプ１の吐出圧及び吐出流量を上昇させることができる。そして、所定の高回転領域においては、ベーンポンプ１の吐出圧及び吐出流量を抑制することができる。
【００３５】
また、かかる構成によれば、油圧回路等を用いることなく、高回転領域における吐出流量及び吐出圧を抑制できるベーンポンプを実現することができるため、ベーンポンプ１の小型化を図ることができる。
【００３６】
《その他の実施形態》
本発明は、前記実施形態について、以下のような構成としてもよい。
【００３７】
すなわち、吸入ポート２３の上死点側の端部２３ａ及び下死点側の端部２３ｂ、並びに吐出ポート２４の上死点側の端部２４ａ及び下死点側の端部２４ｂは、前記の構成に限られるものではない。つまり、吐出ポート２４の下死点側の端部２４ｂが、下死点よりも、ポンプ室１７の１つ分以上、上死点側に位置する構成であれば、ベーンポンプとして機能する限りにおいては任意の構成を採用することができる。
【００３８】
また、前記カムリング４は揺動するように構成されているが、これに限られるものではない。例えば、カムリング４がポンプケーシング１０内において、上死点側の位置と下死点側の位置との間を直線状に移動する構成であってもよい。かかる構成の場合、カムリング４が通常時は上死点側に位置するように、カムリング４を付勢バネによって下死点側から上死点側へ押圧するように構成すればよい。
【００３９】
尚、以上の実施形態は、本質的に好ましい例示であって、本発明、その適用物、あるいはその用途の範囲を制限することを意図するものではない。
【産業上の利用可能性】
【００４０】
以上説明したように、この技術は、カムリングの偏心量を調節することによって容量を調節することができる可変容量型のベーンポンプについて有用である。
【符号の説明】
【００４１】
１      ベーンポンプ
１０    ポンプケーシング
１５    付勢ゴム（付勢手段）
１７    ポンプ室
２３    吸入ポート
２４    吐出ポート
２４ａ  吐出ポートの上死点側の端部
２４ｂ  吐出ポートの下死点側の端部
３      ロータ
４      カムリング
５      ベーン
【図１】
2010265852.tif 000003
【図２】
2010265852.tif 000004
【図３】
2010265852.tif 000005
【図４】
2010265852.tif 000006